(57)【要約】【課題】断熱材発泡後でも強度を低減することなく、用途に応じて庫内部品支持手段の支持具を交換することができる冷蔵庫を提供する。【解決手段】庫内部品支持手段Ｓ１は、内箱凸部３ａと嵌合されるブッシュ凹部１０ａ、内箱貫通穴３ｂを貫通して貯蔵室側に突出し、先端面に開口を有するブッシュ凸部１０ｂ、ブッシュ凹部１０ａの外周部に設けられ、内箱の外箱側の面に接触するフランジ１０ｄを有するブッシュ１０と、ブッシュ凸部１０ｂが挿入される挿入部１１ａが設けられ、内箱凸部３ａに貯蔵室側から嵌め込んだ際に、挿入部１１ａの貫通穴にブッシュ凸部１０ｂが挿入されて、ブッシュ１０とで内箱３を挟持するブッシュ固定具１１と、ブッシュ固定具１１の挿入部１１ａの貫通穴に挿入されたブッシュ凸部１０ｂの開口に取り外し自在に挿入され、貯蔵室に使用される庫内部品を支持する支持具１２、１３とを備えた。【選択図】図３
2015218985.tif 000002
【特許請求の範囲】
【請求項１】
外箱と、内箱と、前記外箱と前記内箱との間の空間に断熱材を有し、前記内箱の内周側に貯蔵室が形成された断熱箱体と、前記内箱の壁面に設けられ、内箱貫通穴を有する内箱凸部と、前記内箱凸部に前記外箱側からと前記貯蔵室側から取り付けて前記内箱に設けられ、前記貯蔵室に使用される庫内部品を支持する庫内部品支持手段とを有する冷蔵庫において、
前記庫内部品支持手段は、
前記内箱凸部と嵌合されるブッシュ凹部、前記内箱貫通穴を貫通して前記貯蔵室側に突出し、先端面に開口を有するブッシュ凸部、および前記ブッシュ凹部の外周部に設けられ、前記内箱の前記外箱側の面に接触するフランジを有するブッシュと、
前記ブッシュ凸部が挿入される貫通穴を有する挿入部が設けられ、前記ブッシュ凸部が前記内箱貫通穴を貫通した前記内箱凸部に前記貯蔵室側から嵌め込んだ際に、前記挿入部の貫通穴に前記ブッシュ凸部が挿入されて、前記ブッシュとで前記内箱を挟持するブッシュ固定具と、
前記ブッシュ固定具の挿入部の貫通穴に挿入されたブッシュ凸部の開口に取り外し自在に挿入され、前記貯蔵室に使用される庫内部品を支持する支持具と
を備えたことを特徴とする冷蔵庫。
【請求項２】
前記庫内部品は食品棚であり、
前記支持具は、
前記食品棚を上下方向に取り外し自在に保持するホルダーと、
前記ブッシュ固定具の挿入部の貫通穴に挿入されたブッシュ凸部の開口に挿入される差込部と、
前記差込部の前記ブッシュ凸部の開口から露出する端面に設けられ、前記ホルダーが取り出し自在に挿入されたホルダー挿入穴と
を備えたことを特徴とする請求項１記載の冷蔵庫。
【請求項３】
前記庫内部品は食品棚であり、
前記支持具は、
前記内箱に接触する面の反対側に突出して設けられ、前記食品棚が載置される棚載置部と、
前記内箱に接触する面に設けられ、前記ブッシュ固定具の挿入部の貫通穴に挿入されたブッシュ凸部の開口に挿入された差込部と
を備えたことを特徴とする請求項１又は２記載の冷蔵庫。
【請求項４】
前記支持具は、
前記内箱に接触する面の反対側に突出して設けられた連結部と、
前記連結部の先端部に前記庫内部品として設けられたポケットと、
前記内箱に接触する面に設けられ、前記ブッシュ固定具の挿入部の貫通穴に挿入されたブッシュ凸部の開口に挿入された差込部と
を備えたことを特徴とする請求項１〜３の何れか１項に記載の冷蔵庫。
【請求項５】
前記内箱凸部は、前記内箱の壁面に前記外箱側へ突出して設けられ、その突出した中央部に内箱貫通穴を有することを特徴とする請求項１〜４の何れか１項に記載の冷蔵庫。
【請求項６】
請求項１〜請求項５の何れか１項に記載の冷蔵庫の製造方法であって、
前記ブッシュと前記ブッシュ固定具とによって前記内箱を挟持する第１工程と、
該第１工程の後、前記内箱と前記外箱とを組み合わせ、前記内箱と前記外箱との間の空間に前記断熱材を充填する第２工程と
を備えたことを特徴とする冷蔵庫の製造方法。
【発明の詳細な説明】
【技術分野】
【０００１】
本発明は、例えば、冷蔵室に使用される庫内部品を支持する庫内部品支持手段を備えた冷蔵庫およびこの冷蔵庫の製造方法に関するものである。
【背景技術】
【０００２】
従来より周知の冷蔵庫は、外箱と内箱の組合せにより形成される外箱と内箱との間の空間に発泡断熱材を充填して構成される断熱箱体を備えている。近年では、省エネ性の向上、容量の増加などの市場要望に応えるため、従来の発泡断熱材よりも熱伝導率の低い真空断熱材を導入して、省エネ性の向上や断熱箱体の厚さ削減を実現している。真空断熱材は外箱に接する形で設置され、発泡断熱材を充填発泡することで、断熱箱体を形成している。
【０００３】
これらの断熱箱体では、冷蔵庫として食品を収納するために、冷蔵室、冷凍室、野菜室、製氷室などの用途ごとに温度帯の異なるいくつかの貯蔵室に分かれている。主に冷蔵室内に食品棚を設置しているが、これらの食品棚を保持するために内箱に庫内部品支持手段が設けられている。庫内部品支持手段としては以下のようなものがある。内箱の壁面に凹みと穴を設け、穴にピン支え板を挿入する形で設置する。この際、凹み形状にピン支え板が収まり、内箱の表面に露出しないようになっている。このピン支え板と内箱の穴の隙間とを発泡断熱材の漏れ防止のために断熱材側よりシール材にて封止し、発泡断熱材を充填することで、ピン支え板は内箱および発泡断熱材に固着される。このピン支え板に、内箱の庫内側から食品棚を保持するための面を設けたピンを差し込み、ピン上に食品棚を載せる形で食品棚を保持している冷蔵庫がある（例えば、特許文献１参照）。
【０００４】
また、従来の冷蔵庫には、内箱の壁面に凹みと穴を設け、庫内部品支持手段として、断熱材側から凹みの穴を貫通するブッシュ凸部を備えたブッシュと、庫内側から凹みに嵌め込んだ際にブッシュ凸部が挿入されて、ブッシュとで内箱を狭持するブッシュ固定具とを備えたものがある。このブッシュのブッシュ凸部には、食品棚を保持するホルダーが挿入される保持用凹部が設けられている（例えば、特許文献２参照）。
【先行技術文献】
【特許文献】
【０００５】
【特許文献１】特開平５−１８０５５７号公報（第８頁、図１３）
【特許文献２】特開２０１４−３１９８６号公報（第１１頁、図３）
【発明の概要】
【発明が解決しようとする課題】
【０００６】
特許文献１に記載の冷蔵庫においては、庫内部品支持手段を断熱箱体に設ける際、シール材を内箱の外箱側側面に貼り付ける作業が必要となる。このため、断熱箱体への庫内部品支持手段の取付け作業が煩雑になるという課題があった。特に、ベルトコンベアなどで断熱箱体を搬送しながら作業を行うライン作業において、断熱箱体にシール材を貼り付ける場合、シール材の貼り付け作業性が悪化し、さらに取付け作業が煩雑になってしまう。また、ライン作業において、断熱箱体にシール材を貼り付ける場合、作業者の熟練度に応じてシール材の位置決め精度にばらつきが生じてしまう。シール材の位置決め精度が悪い場合には、外箱と内箱との間の空間に発泡断熱材を充填発泡する工程において、発泡断熱材の発泡圧力によってシール材が押し出され、発泡断熱材が漏れ出してしまい、庫内部品支持手段の位置がばらついてしまう。また、発泡断熱材で庫内部品支持手段を支えているため、充分な強度が得られないなどの課題があった。
【０００７】
特許文献２に記載の冷蔵庫においては、庫内部品支持手段が断熱材発泡により固定されているため、断熱材発泡後に部材を交換することができない。そのため、断熱材発泡後に食品棚をホルダーに差し込むブッシュの保持用凹部の形状を変更することができず、棚位置を変更するためには内箱に庫内部品支持手段を多数取り付ける必要があり、使用者には棚位置を変更するのが困難であるなどの課題があった。
【０００８】
本発明は、前記のような問題を解決するためになされたもので、第１の目的は、断熱材発泡後でも強度を低減することなく、用途に応じて庫内部品支持手段の支持具を交換することができる冷蔵庫およびこの冷蔵庫の製造方法を得るものである。
【０００９】
また、第２の目的は、庫内部品支持手段の取付け位置のばらつきを抑制できる冷蔵庫およびこの冷蔵庫の製造方法を得るものである。
【課題を解決するための手段】
【００１０】
本発明に係る冷蔵庫は、外箱と、内箱と、外箱と内箱との間の空間に断熱材を有し、内箱の内周側に貯蔵室が形成された断熱箱体と、内箱の壁面に設けられ、内箱貫通穴を有する内箱凸部と、内箱凸部に外箱側からと貯蔵室側から取り付けて内箱に設けられ、貯蔵室に使用される庫内部品を支持する庫内部品支持手段とを有する冷蔵庫において、
庫内部品支持手段は、内箱凸部と嵌合されるブッシュ凹部、内箱貫通穴を貫通して貯蔵室側に突出し、先端面に開口を有するブッシュ凸部、およびブッシュ凹部の外周部に設けられ、内箱の外箱側の面に接触するフランジを有するブッシュと、ブッシュ凸部が挿入される貫通穴を有する挿入部が設けられ、ブッシュ凸部が内箱貫通穴を貫通した内箱凸部に貯蔵室側から嵌め込んだ際に、挿入部の貫通穴にブッシュ凸部が挿入されて、ブッシュとで内箱を挟持するブッシュ固定具と、ブッシュ固定具の挿入部の貫通穴に挿入されたブッシュ凸部の開口に取り外し自在に挿入され、貯蔵室に使用される庫内部品を支持する支持具とを備えたものである。
【発明の効果】
【００１１】
本発明によれば、内箱凸部と嵌合されるブッシュ凹部、内箱貫通穴を貫通して貯蔵室側に突出し、先端面に開口を有するブッシュ凸部、およびブッシュ凹部の外周部に設けられ、内箱の外箱側の面に接触するフランジを有するブッシュと、ブッシュ凸部が挿入される貫通穴を有する挿入部が設けられ、ブッシュ凸部が内箱貫通穴を貫通した内箱凸部に貯蔵室側から嵌め込んだ際に、挿入部の貫通穴にブッシュ凸部が挿入されて、ブッシュとで内箱を挟持するブッシュ固定具と、ブッシュ固定具の挿入部の貫通穴に挿入されたブッシュ凸部の開口に取り外し自在に挿入され、貯蔵室に使用される庫内部品を支持する支持具とを備えたものである。この構成により、断熱材の充填後においても支持具を交換することができ、このため、庫内部品の形状・種類の異なる庫内部品であっても支持することができる。
【図面の簡単な説明】
【００１２】
【図１】本発明の実施の形態１に係る冷蔵庫の断熱箱体を示す正面図。
【図２】図１の断熱箱体に設けられた庫内部品支持手段の斜視図。
【図３】図２の庫内部品支持手段の分解斜視図。
【図４】図２の庫内部品支持手段を矢視Ａ−Ａ方向から見て示す縦断面図。
【図５】図２の庫内部品支持手段を矢視Ｂ−Ｂ方向から見て示す横断面図。
【図６】本発明の実施の形態１に係る冷蔵庫の庫内部品の一例である食品棚を左端から見て示す側面図。
【図７】図６の食品棚の庫内部品支持手段への取り付け例を示す斜視図。
【図８】本発明の実施の形態２に係る冷蔵庫の庫内部品支持手段を示す斜視図。
【図９】図８の庫内部品支持手段を矢視Ｃ−Ｃ方向から見て示す縦断面図。
【図１０】図８の庫内部品支持手段への食品棚の取り付け例を示す斜視図。
【図１１】本発明の実施の形態３に係る冷蔵庫の庫内部品支持手段を示す斜視図。
【図１２】図１１の庫内部品支持手段により保持されたアタッチの正面図。
【図１３】図１２の庫内部品支持手段およびアタッチを矢視Ｄ−Ｄ方向から見て示す縦断面図。
【発明を実施するための形態】
【００１３】
実施の形態１．
先ず、本発明の実施の形態１に係る冷蔵庫の概略構成について、図１を用いて説明する。
図１は本発明の実施の形態１に係る冷蔵庫の断熱箱体を示す正面図である。
【００１４】
実施の形態１に係る冷蔵庫１は、前面が開口された断熱箱体１ａを備えている。この断熱箱体１ａは、断熱箱体１ａの外周面を形成する外箱２と断熱箱体１ａの内周面を形成する内箱３とを組み合わせて構成され、冷蔵庫１の外郭をなしている。外箱２と内箱３との間に形成された断熱充填用の空間４には発泡断熱材５が充填されている（図４参照）。外箱２と内箱３は、発泡断熱材５によって結合されている。
【００１５】
このように構成された断熱箱体１ａは、内部空間が複数の仕切壁１ｂによって区画され、冷蔵室６、冷凍室７、野菜室８、製氷室９など使用者の利用形態にあわせて温度帯の異なるいくつかの貯蔵室が設けられている。冷蔵室６の互いに対向する壁面には、庫内部品である食品棚を支持する庫内部品支持手段Ｓ１が設けられている（図２参照）。その食品棚によって冷蔵室６内の空間がさらに区画される。断熱箱体１ａの各貯蔵室の開口は、貯蔵室毎に観音開き式、引出式などの扉によって開閉自在に閉塞されている。引出式の扉には、扉と共に前後方向に移動するかご状の収納ケースが設けられている。
【００１６】
次に、庫内部品支持手段Ｓ１の構成について、図２〜図４を用いて説明する。
図２は図１の断熱箱体に設けられた庫内部品支持手段の斜視図、図３は図２の庫内部品支持手段の分解斜視図、図４は図２の庫内部品支持手段を矢視Ａ−Ａ方向から見て示す縦断面図、図５は図２の庫内部品支持手段を矢視Ｂ−Ｂ方向から見て示す横断面図である。
庫内部品支持手段Ｓ１は、図３に示すように、内箱３を挟む形で、ブッシュ１０、ブッシュ固定具１１、支持具であるホルダーアタッチ１２およびホルダー１３の４部品で構成され、その部品の大部分が内箱３の側壁に埋め込まれた状態となっている。
【００１７】
内箱３には、外箱２側に突出する例えば略四角形状の内箱凸部３ａが形成されている。この内箱凸部３ａの形状は、換言すると、冷蔵室６から見た場合には凹形状に形成され、外箱２側から見た場合には凸形状になっている。また、内箱凸部３ａの略中央部には、内箱貫通穴３ｂが形成されている。
【００１８】
ブッシュ１０は、内箱３の外箱２側の面に接触して設けられる。このブッシュ１０の内箱３と対向する面には、内箱凸部３ａが挿入されるブッシュ凹部１０ａが形成されている。このブッシュ凹部１０ａに内箱凸部３ａを挿入することで、ブッシュ１０を位置決めすることができる。また、ブッシュ１０に形成されたブッシュ凹部１０ａの奥の面には、ブッシュ凹部１０ａ内から突出するブッシュ凸部１０ｂが設けられている。このブッシュ凸部１０ｂは、ブッシュ凹部１０ａ側から見て、端面から奥に開口を有する略四角形状に形成されている。ブッシュ凸部１０ｂは、ブッシュ凹部１０ａに内箱凸部３ａが挿入された際に、内箱凸部３ａの内箱貫通穴３ｂを貫通して、内箱３の壁面より僅かに突出した状態となる。
【００１９】
また、ブッシュ１０は、ブッシュ凸部１０ｂの先端部の上下に、後述するブッシュ固定具１１の切欠部１１ｂに係り止めする引っ掛け爪１０ｃが設けられている。このブッシュ１０の外周部には、内箱凸部３ａの外周側となる内箱３に接触するフランジ１０ｄが形成されている。フランジ１０ｄを形成することにより、ブッシュ１０と内箱３の密着性がより向上するため、外箱２と内箱３との間の空間４に発泡断熱材５を充填した際、ブッシュ１０と内箱３との間から冷蔵室６側への発泡断熱材５の漏れを防止することができる。
【００２０】
ブッシュ固定具１１は、冷蔵室６側から内箱凸部３ａ内に挿入される。ブッシュ固定具１１の外周部の形状は、内箱凸部３ａの内周部の形状と略同様である。このため、ブッシュ固定具１１を内箱凸部３ａに挿入することで、ブッシュ固定具１１を位置決めすることができる。また、ブッシュ固定具１１の例えば略中央部には、ブッシュ１０のブッシュ凸部１０ｂが挿入される貫通穴が設けられた略四角形状の挿入部１１ａが形成されている。
【００２１】
さらに、ブッシュ固定具１１の下部には、挿入部１１ａ側に延びる突起片１１ｃが設けられている。この突起片１１ｃには、後述するホルダーアタッチ１２の引っ掛け爪１２ｃを引っ掛けるための引っ掛け穴１１ｄが設けられている。前述の挿入部１１ａの長さは、例えば１０ｍｍ〜１７ｍｍであり、また、挿入部１１ａは、貫通穴を有する四角形状であるため、応力が緩和される構造になっている。挿入部１１ａの冷蔵室６側の端部の上下には、ブッシュ１０の引っ掛け爪１０ｃが係り止めする切欠部１１ｂが形成されている。
【００２２】
つまり、挿入部１１ａの貫通穴にブッシュ１０のブッシュ凸部１０ｂを挿入すると、ブッシュ１０の引っ掛け爪１０ｃがブッシュ固定具１１の切欠部１１ｂに引っ掛かる。これにより、ブッシュ１０とブッシュ固定具１１とが内箱３の一部である内箱凸部３ａの先端面を挟持し、ブッシュ１０のフランジ１０ｄが内箱凸部３ａの外周側となる内箱３に接触して、ブッシュ１０を内箱３に固定することができる。ブッシュ１０とブッシュ固定具１１とで内箱３を挟持した状態においては、ブッシュ１０のブッシュ凸部１０ｂの先端部とブッシュ固定具１１の挿入部１１ａの先端部とが略同位置となっている。
【００２３】
ホルダーアタッチ１２は、ブッシュ凸部１０ｂの開口と略同じ四角形状に形成された差込部１２ａである。このホルダーアタッチ１２は、ブッシュ固定具１１の挿入部１１ａの貫通穴に挿入されたブッシュ凸部１０ｂの開口に挿入される。ホルダーアタッチ１２のブッシュ凸部１０ｂの開口から露出する端面には、後述するホルダー１３が挿入される横長のホルダー挿入穴１２ｂが設けられている。
【００２４】
また、ホルダーアタッチ１２の下部には、下方に延びてホルダーアタッチ１２側に直角に折り曲げられて形成された引っ掛け爪１２ｃが設けられている。この引っ掛け爪１２ｃは、ホルダーアタッチ１２がブッシュ凸部１０ｂの開口に挿入された際に、ブッシュ固定具１１の引っ掛け穴１１ｄに引っ掛かって、ホルダーアタッチ１２そのもの、つまり差込部１２ａを内箱３に固定する。ホルダーアタッチ１２を取り外し可能な構造にすることで、断熱材発泡後でもホルダーアタッチ１２を交換でき、ホルダー１３の位置・大きさの変更に対応することができる。
【００２５】
ホルダー１３は、前述のように、庫内部品支持手段Ｓ１のホルダー挿入穴１２ｂに挿入される。このホルダー１３の幅及び厚さは、ホルダー挿入穴１２ｂの幅及び高さよりも小さく形成されている。このため、ホルダー挿入穴１２ｂにホルダー１３を挿入した後もホルダー１３は自由度をもっており、力を加えればホルダー１３はホルダー挿入穴１２ｂ内で摺動可能となっている。つまり、ホルダー１３は、ホルダー挿入穴１２ｂに摺動自在に保持されるものである。ホルダー１３がホルダー挿入穴１２ｂに保持された状態では、ホルダー１３は、その冷蔵室６側の先端部が庫内部品支持手段Ｓ１よりも冷蔵室６側に突出した状態となる。ホルダー１３は、例えば金属製の板材で形成されており、冷蔵室６側の先端部に、後述のピン２２ｂが挿入される例えば２個のピン穴１３ａが上下方向に貫通して形成されている。
【００２６】
次に、食品棚２０の構成について、図６および図７を用いて説明する。
図６は本発明の実施の形態１に係る冷蔵庫の庫内部品の一例である食品棚を左端から見て示す側面図、図７は図６の食品棚の庫内部品支持手段への取り付け例を示す斜視図である。
【００２７】
食品棚２０は、棚板２１を備えている。この棚板２１は、略直方体の平板形状に形成されている。棚板４２の下方には、ホルダー１３に取り付けられる脚部２２が設けられている。内箱３の両側面に２つずつ設けられた庫内部品支持手段Ｓ１によって、食品棚２０が保持される。つまり、これら４つの庫内部品支持手段Ｓ１のホルダー挿入穴１２ｂに挿入されたホルダー１３によって、棚板２１は保持される。このため、４つの庫内部品支持手段Ｓ１と対応する位置（４箇所）に、脚部２２が形成されている。
【００２８】
これら脚部２２のそれぞれは、脚部カバー２２ａとピン２２ｂとを備えている。脚部カバー２２ａは、棚板２１の例えば下面から下方に延設されており、内箱３の壁面に対向する面が冷蔵室６側に凹んだ形状となっている。ピン２２ｂは、ホルダー１３のピン穴１３ａに挿入される。このピン２２ｂは、ピン穴１３ａの数に対応して２つ設けられている。
【００２９】
図７に示すように、棚板２１を上部から下方に移動させ、ホルダー１３のピン穴１３ａに上方からピン２２ｂを挿入することにより、棚板２１は、ホルダー１３を介して庫内部品支持手段Ｓ１に保持される。このとき、庫内部品支持手段Ｓ１、ホルダー１３及びピン２２ｂは、脚部カバー２２ａで覆われることとなる。このため、庫内部品支持手段Ｓ１、ホルダー１３及びピン２２ｂが冷蔵庫１の使用者から見えなくなるので、意匠性に優れた食品棚２０を有する冷蔵庫１を得ることができる。
【００３０】
前述した断熱箱体１ａは、外箱２及び内箱３の部品精度や、発泡断熱材５の発泡工程において外箱２及び内箱３にかかる圧力等により、各断熱箱体１ａ毎に寸法がばらつく場合がある。このため、食品棚２０のように内箱３の両側の壁面に設けられた庫内部品支持手段Ｓ１によって保持される庫内部品は、断熱箱体１ａの寸法のばらつきによっては、冷蔵室６に取り付けることが困難になる場合がある。
【００３１】
しかしながら、本実施の形態１のようにホルダー１３を介して棚板２１を取り付けることにより、各断熱箱体１ａ毎に寸法がばらつく場合でも、ホルダー１３が庫内部品支持手段Ｓ１のホルダー挿入穴１２ｂ内で摺動して断熱箱体１ａの寸法ばらつきを吸収できるので、冷蔵室６に確実に食品棚２０を取り付けることができる。
【００３２】
実施の形態２．
実施の形態１では、庫内部品支持手段Ｓ１のホルダー挿入穴１２ｂに差し込んだホルダー１３を用いて食品棚２０を保持するようにしたが、実施の形態２は、ホルダーアタッチ１２とホルダー１３を使用することなく食品棚２０を保持するようにしたものである。
【００３３】
図８は本発明の実施の形態２に係る冷蔵庫の庫内部品支持手段を示す斜視図、図９は図８の庫内部品支持手段を矢視Ｃ−Ｃ方向から見て示す縦断面図、図１０は図８の庫内部品支持手段への食品棚の取り付け例を示す斜視図である。なお、実施の形態１と同様の部分には同じ符号を付し、実施の形態１と異なる部分だけを説明する。
【００３４】
実施の形態２における庫内部品支持手段Ｓ２は、ブッシュ１０、ブッシュ固定具１１およびアタッチ１４（支持具）の３部品で構成されている。アタッチ１４は、正面から見て、外形が略四角形状に形成され、縦方向に上下２段の棚載置部１４ａ、１４ｂが設けられている。この棚載置部１４ａ、１４ｂは、アタッチ１４の横方向の長さと同じ長さで、内箱３に接触する面の反対側に突出している。
【００３５】
棚載置部１４ａ、１４ｂのうち、下側の棚載置部１４ｂには、ブッシュ固定具１１の挿入部１１ａ内に挿入されたブッシュ凸部１０ｂの開口に挿入される差込部１４ｃが設けられている。この差込部１４ｃは、ブッシュ凸部１０ｂの開口と略同じ四角形状に形成されている。また、棚載置部１４ｂの下部には、差込部１４ｃと同じ方向に延びる引っ掛け爪１０ｃが設けられている。この引っ掛け爪１４ｄは、アタッチ１４の差込部１４ｃがブッシュ凸部１０ｂの開口に挿入された際に、ブッシュ固定具１１の引っ掛け穴１１ｄに引っ掛かって、アタッチ１４そのものを内箱３に固定する。この棚載置部１４ｂに載置される食品棚３０は、脚部カバー２２ａとピン２２ｂを備えていない略直方体の平板形状に形成されている。
【００３６】
実施の形態２においては、冷蔵室６に収納する食品の大きさに応じて、アタッチ１４の棚載置部１４ａ、１４ｂの何れか一方の上面に食品棚３０を載せることができる。また、アタッチ１４とブッシュ固定具１１は、アタッチ１４に設けられた引っ掛け爪１４ｄとブッシュ固定具１１の引っ掛け穴１１ｄとで結合しているので、アタッチ１４が外れることがない。
【００３７】
実施の形態３．
実施の形態２では、上下に２段の棚載置部１４ａ、１４ｂを有するアタッチ１４を用いて食品棚３０を支えるようにしたが、ポケットを有するアタッチを庫内部品支持手段Ｓ３の一部品としたものである。
図１１は本発明の実施の形態３に係る冷蔵庫の庫内部品支持手段を示す斜視図、図１２は図１１の庫内部品支持手段により保持されたアタッチの正面図、図１３は図１２の庫内部品支持手段およびアタッチを矢視Ｄ−Ｄ方向から見て示す縦断面図である。なお、実施の形態１と同様の部分には同じ符号を付し、実施の形態１と異なる部分だけを説明する。
【００３８】
実施の形態３における庫内部品支持手段Ｓ３は、ブッシュ１０、ブッシュ固定具１１およびポケット１６を有するアタッチ１５（支持具）の３部品で構成されている。アタッチ１５は、例えば横長の四角形状に形成され、内箱３に接触する面の反対側に突出するポケット連結部１５ａが設けられている。このポケット連結部１５ａは、アタッチ１５の横方向の長さと同じ長さである。
【００３９】
ポケット連結部１５ａには、ブッシュ固定具１１の挿入部１１ａ内に挿入されたブッシュ凸部１０ｂの開口に挿入される差込部１５ｂと一体になっている。この差込部１５ｂは、ブッシュ凸部１０ｂの開口と略同じ四角形状に形成されている。また、ポケット連結部１５ａの下部には、差込部１４ｃと同じ方向に延びる引っ掛け爪１５ｃが設けられている。この引っ掛け爪１０ｃは、アタッチ１５の差込部１１５ｂがブッシュ凸部１０ｂの開口に挿入された際に、ブッシュ固定具１１の引っ掛け穴１１ｄに引っ掛かって、アタッチ１５そのものを内箱３に固定する。ポケット連結部１５ａに連結されたポケット１６は、上面開口の箱体で、食品が収納される。
【００４０】
実施の形態３においては、ポケット１６を有するアタッチ１５を庫内部品支持手段Ｓ３の一部品とすることで、冷蔵室６内のポケットとして使用することができる。また、アタッチ１５とブッシュ固定具１１は、アタッチ１４に設けられた引っ掛け爪１０ｃとブッシュ固定具１１の引っ掛け穴１１ｄとで結合しているので、アタッチ１４が外れることがなく、ポケット１６の配置位置の変更も容易に行える。
【００４１】
以上のように、ブッシュ１０に設けられたブッシュ固定具１１に交換可能なアタッチホルダー１２およびアタッチ１４、１５の何れかを取り付けることができる。このため、断熱材を発泡した後でも食品棚２０、３０や、ポケット１６を冷蔵室６の用途に応じて用いることができる。
【００４２】
実施の形態４．
次に、断熱箱体１ａの製造方法について説明する。
断熱箱体１ａを製造する際、まず、内箱３に庫内部品支持手段Ｓ１、Ｓ２、Ｓ３のブッシュ１０とブッシュ固定具１１を取り付ける（第１工程）。具体的には、外箱２側から、ブッシュ１０のブッシュ凸部１０ｂを内箱凸部３ａの内箱貫通穴３ｂに挿入して、ブッシュ１０のブッシュ凹部１０ａに内箱３の内箱凸部３ａを挿入する。一方、冷蔵室６側からは、内箱凸部３ａ内にブッシュ固定具１１を挿入し、ブッシュ固定具１１の挿入部１１ａの貫通穴にブッシュ１０のブッシュ凸部１０ｂを挿入する。これにより、ブッシュ１０の引っ掛け爪１０ｃがブッシュ固定具１１の切欠部１１ｂに引っ掛かって、ブッシュ１０をブッシュ固定具１１で保持することができる。換言すると、ブッシュ１０とブッシュ固定具１１とで、内箱３を挟持することができる。
【００４３】
このとき、ブッシュ１０と内箱凸部３ａとの間においてブッシュ１０を位置決めでき、ブッシュ固定具１１と内箱凸部３ａとの間においてブッシュ固定具１１を位置決めできる。また、ブッシュ１０とブッシュ固定具１１とで内箱３を挟持することにより、ブッシュ１０のフランジ１０ｄが内箱凸部３ａの外周側となる内箱３に接触する。つまり、ブッシュ１０とブッシュ固定具１１を係合させるだけでブッシュ１０と内箱３との間の密着性を確保できる。このため、シール材の貼り付けや接着剤の塗布が不要となっている。したがって、実施の形態１、２、３においては、作業者の作業ばらつきに影響されずにブッシュ１０と内箱３との間の密着性を確保できるので、後述の発泡断熱材５の充填工程において、安定して発泡断熱材５の漏れを防止できる。
【００４４】
なお、前記の庫内部品支持手段Ｓ１、Ｓ２、Ｓ３の取付作業は、停止した作業台上で行ってもよいし、ベルトコンベア等で内箱３を搬送しながら行うライン作業中であってもよい。
【００４５】
内箱３にブッシュ１０とブッシュ固定具１１を取り付けた後、内箱３と外箱２とを組み合わせる。そして、外箱２の内周側と内箱３の外周側との間の断熱材充填用の空間４に発泡断熱材５の原料を注入して発泡させ、空間４に発泡断熱材５を充填する（第２工程）。前記のように、実施の形態１、２、３においては、作業者の作業ばらつきに影響されずにブッシュ１０と内箱３との間の密着性を確保できるので、発泡断熱材５の充填工程において、安定して発泡断熱材５の漏れを防止できる。
【符号の説明】
【００４６】
１  冷蔵庫、１ａ  断熱箱体、２  外箱、３  内箱、３ａ  内箱凸部、３ｂ  内箱貫通穴、４  断熱材充填用の空間、５  発泡断熱材、６  冷蔵室、７  冷凍室、８  野菜室、９  製氷室、１０  ブッシュ、１０ａ  ブッシュ凹部、１０ｂ  ブッシュ凸部、１０ｃ  引っ掛け爪、１０ｄ  フランジ、１１  ブッシュ固定具、１１ａ  挿入部、１１ｂ  切欠部、１１ｃ  係止片、１１ｄ  引っ掛け穴、１２  ホルダーアタッチ、１２ａ  差込部、１２ｂ  ホルダー挿入部、１２ｃ  引っ掛け爪、１３  ホルダー、１３ａ  ピン穴、１４  アタッチ、１４ａ、１４ｂ  棚載置部、１４ｃ  差込部、１４ｄ  引っ掛け爪、１５  アタッチ、１５ａ  ポケット連結部、１５ｂ  差込部、１５ｃ  引っ掛け爪、１６  ポケット、２０  食品棚、２１  棚板、２２  脚部、２２ａ  脚部カバー、２２ｂ  ピン、３０  食品棚。
【図１】
2015218985.tif 000003
【図２】
2015218985.tif 000004
【図３】
2015218985.tif 000005
【図４】
2015218985.tif 000006
【図５】
2015218985.tif 000007
【図６】
2015218985.tif 000008
【図７】
2015218985.tif 000009
【図８】
2015218985.tif 000010
【図９】
2015218985.tif 000011
【図１０】
2015218985.tif 000012
【図１１】
2015218985.tif 000013
【図１２】
2015218985.tif 000014
【図１３】
2015218985.tif 000015